(57)【要約】【課題】表示画面における表示領域のサイズに応じて、描画情報の描画位置を変更することが可能な表示装置、表示方法及びプログラムを提供する。【解決手段】表示領域設定部は、ディスプレイの表示画面の中に、ディスプレイを駆動するバッテリーの残量に応じた面積の表示領域を設定する。そして、指示位置検出部は、表示領域に対する指示位置を検出して、指示位置記憶部が、表示領域の設定状態と、指示位置の座標とを関連付けて記憶する。描画制御部は、指示位置に描画情報を描画させる。そして、表示制御部は、表示領域設定部が表示領域の設定を変更した際に、変更された表示領域の設定状態と、指示位置記憶部が記憶した情報とに基づいて、表示領域の設定が変更される前に描画された描画情報を拡大又は縮小して表示させる。【選択図】図３
2020129039.tif 000002
【特許請求の範囲】
【請求項１】
バッテリーによって駆動される表示装置であって、
当該表示装置の表示画面の中に、前記バッテリーの残量に応じた表示領域を設定する表示領域設定部と、
前記表示領域に対する指示位置を検出する指示位置検出部と、
前記表示領域の設定状態と、前記指示位置の座標とを関連付けて記憶する指示位置記憶部と、
前記指示位置に描画情報を描画させる描画制御部と、
前記表示領域設定部が前記表示領域の設定を変更した際に、変更された前記設定状態と、前記指示位置記憶部が記憶した情報とに基づいて、前記表示領域の設定が変更される前に描画された前記描画情報を拡大又は縮小して表示させる表示制御部と、
を備える表示装置。
【請求項２】
前記表示領域設定部は、
前記バッテリーの残量が閾値未満である場合に、前記表示領域を狭く設定して、
前記バッテリーの残量が前記閾値を超える場合に、前記表示領域を広く設定する、
請求項１に記載の表示装置。
【請求項３】
前記表示領域設定部の設定に応じて、前記表示画面における前記表示領域以外の領域のバックライトを消灯させるバックライト制御部を、更に備える、
請求項１または請求項２に記載の表示装置。
【請求項４】
前記設定状態は、前記表示領域の位置とサイズである、
請求項１から請求項３のいずれか１項に記載の表示装置。
【請求項５】
前記表示制御部は、設定変更前の表示領域に対する前記描画情報の相対位置及び当該表示領域に対する前記描画情報の相対サイズと、
設定変更後の表示領域に対する前記描画情報の相対位置及び当該表示領域に対する前記描画情報の相対サイズと、が等しくなるように、前記描画情報を拡大又は縮小させる、
請求項１から請求項４のいずれか１項に記載の表示装置。
【請求項６】
バッテリーによって駆動される表示装置において、
当該表示装置の表示画面の中に、前記バッテリーの残量に応じた表示領域を設定する表示領域設定ステップと、
前記表示領域に対する指示位置を検出する指示位置検出ステップと、
前記表示領域の設定状態と、前記指示位置の座標とを関連付けて記憶する指示位置記憶ステップと、
前記指示位置に描画情報を描画させる描画制御ステップと、
前記表示領域設定ステップにおいて前記表示領域の設定を変更した際に、変更された前記設定状態と、前記指示位置記憶ステップにおいて記憶した情報とに基づいて、前記表示領域の設定が変更される前に描画された前記描画情報を拡大又は縮小して表示させる表示制御ステップと、
を行う表示方法。
【請求項７】
バッテリーによって駆動される表示装置を制御するコンピュータに対して、
当該表示装置の表示画面の中に、前記バッテリーの残量に応じた表示領域を設定する表示領域設定ステップと、
前記表示領域に対する指示位置を検出する指示位置検出ステップと、
前記表示領域の設定状態と、前記指示位置の座標とを関連付けて記憶する指示位置記憶ステップと、
前記指示位置に描画情報を描画させる描画制御ステップと、
前記表示領域設定ステップにおいて前記表示領域の設定を変更した際に、変更された前記設定状態と、前記指示位置記憶ステップにおいて記憶した情報とに基づいて、前記表示領域の設定が変更される前に描画された前記描画情報を拡大又は縮小して表示させる表示制御ステップと、
を実行させるプログラム。
【発明の詳細な説明】
【技術分野】
【０００１】
本発明は、表示装置、表示方法及びプログラムに関する。
【背景技術】
【０００２】
近年、ユーザが表示画面の表面を指でなぞる等の入力を行うことで、表示部に線や図形などを描画することが可能な表示装置が知られている。
【０００３】
このような描画機能を持つ表示装置において、バッテリーの電力の残量に応じて、表示面積を縮小し、電力消費を抑える技術が提案されている。
【発明の概要】
【発明が解決しようとする課題】
【０００４】
しかしながら、当該技術では、表示面積が縮小された状態でユーザが描画を行った後に、バッテリーの充電量が回復して、表示面積が縮小前の状態に戻った場合、表示画像に対する描画情報の描画位置にズレが生じるという課題がある。
【０００５】
本発明は、上記に鑑みてなされたものであって、表示画面における表示領域のサイズに応じて、描画情報の描画位置を変更することが可能な表示装置、表示方法及びプログラムを提供することを目的とする。
【課題を解決するための手段】
【０００６】
上述した課題を解決し、目的を達成するために、本発明は、バッテリーによって駆動される表示装置であって、当該表示装置の表示画面の中に、前記バッテリーの残量に応じた表示領域を設定する表示領域設定部と、前記表示領域に対する指示位置を検出する指示位置検出部と、前記表示領域の設定状態と、前記指示位置の座標とを関連付けて記憶する指示位置記憶部と、前記指示位置に描画情報を描画させる描画制御部と、前記表示領域設定部が前記表示領域の設定を変更した際に、変更された前記設定状態と、前記指示位置記憶部が記憶した情報とに基づいて、前記表示領域の設定が変更される前に描画された前記描画情報を拡大又は縮小して表示させる表示制御部と、を備えることを特徴とする。
【発明の効果】
【０００７】
本発明によれば、バッテリーによって駆動されて、タッチパネルを介して描画を行う表示装置において、放電によってバッテリーの残量が低下した場合に表示領域を縮小したとき、及び充電によってバッテリーの残量が増加した場合に表示領域を拡大したときであっても、表示画像に対する描画位置のずれの発生を防止することができる。
【図面の簡単な説明】
【０００８】
【図１】図１は、表示装置の適用例である電子黒板の外観斜視図である。
【図２】図２は、電子黒板のハードウェア構成の一例を示すハードウェアブロック図である。
【図３】図３は、電子黒板のコントローラ部の機能構成の一例を示す機能ブロック図である。
【図４】図４は、電子黒板の動作概要を説明する図である。
【図５】図５は、バッテリーの残量が少ない場合に、ディスプレイの表示画面に狭い表示領域を設定する方法について説明する図である。
【図６】図６は、描画情報の拡大、縮小を行う方法について説明する図である。
【図７】図７は、電子黒板が行う処理の流れの一例を示すフローチャートである。
【発明を実施するための形態】
【０００９】
（電子黒板の概要の説明）
以下に添付図面を参照して、実施の形態に係る電子黒板１０の概要について説明する。図１は、表示装置の適用例である電子黒板１０の外観斜視図である。図１に示すように、電子黒板１０は、ディスプレイ２８０と、コントローラ部１１と、バッテリー部４１と、タッチセンサ２１４とを有する。
【００１０】
ディスプレイ２８０は、描画情報や画像情報を出力する表示デバイスであり、液晶パネルや有機ＥＬパネル等で構成される。ディスプレイ２８０は、画像情報や描画情報を表示する表示画面４２を備える。なお、ディスプレイ２８０は、表示装置の一例である。
【００１１】
コントローラ部１１と、バッテリー部４１とはディスプレイ２８０の筐体の内部に実装されている。コントローラ部１１は、電子黒板１０の全体の動作を制御する。バッテリー部４１は、電子黒板１０に電力を供給する。なお、バッテリー２２４は、例えば、例えば、マンガン電池やアルカリ電池等の一次電池、又はリチウムイオン電池やニッケル・水素電池等の二次電池である。
【００１２】
タッチセンサ２１４は、例えば、赤外線遮断方式によって座標の入力及び座標の検出を行う。具体的には、タッチセンサ２１４は、ディスプレイ２８０の上側両端部にそれぞれ設置される。タッチセンサ２１４は、赤外線を放射する発光部と赤外線を受光する受光部とをともに備える。タッチセンサ２１４は、ディスプレイ２８０の画面に平行に複数の赤外線を放射する。放射された赤外線は、ディスプレイ２８０の周囲に設けられた反射部材によって反射されて、放射した赤外線の光路と同一の光路上を戻り、受光部に受光される。その際、画面上に手や電子ペン等の物体が存在すると、これらの物体によって反射した赤外線が、受光部に検出される。このとき、２つのタッチセンサ２１４は、物体から反射した赤外線を同時に受光して、三角測量の原理に基づいて、物体が接触した座標位置を特定する。
【００１３】
（電子黒板のハードウェア構成の説明）
次に、図２を用いて、電子黒板１０のハードウェア構成を説明する。図２は、電子黒板１０のハードウェア構成の一例を示すハードウェアブロック図である。
【００１４】
図２に示すように、電子黒板１０は、コントローラ部１１と、表示部２１と、タッチパネル部３１と、バッテリー部４１を備える。
【００１５】
コントローラ部１１は、電子黒板１０の全体の動作を制御する。コントローラ部１１は、ＣＰＵ(Central  Processing  Unit)２０１と、ＲＯＭ(Read  Only  Memory)２０２と、ＲＡＭ(Random  Access  Memory)２０３と、ＳＳＤ(Solid  State  Drive)２０４とを備える。
【００１６】
ＣＰＵ２０１は、電子黒板１０全体の動作を制御する。ＲＯＭ２０２は、ＣＰＵ２０１やＩＰＬ(Initial  Program  Loader)等のＣＰＵ２０１の駆動に用いられるプログラムを記憶する。ＲＡＭ２０３は、ＣＰＵ２０１のワークエリアとして使用される。ＳＳＤ２０４は、電子黒板用のプログラム等の各種データを記憶する。
【００１７】
なお、ＣＰＵ２０１が実行するプログラムは、ＲＯＭ２０２に予め組み込んで提供される他に、コントローラ部１１にインストール可能な形式又は実行可能な形式のファイルで、ＣＤ−ＲＯＭ、フレキシブルディスク（ＦＤ）、ＣＤ−Ｒ、ＤＶＤ等のコンピュータで読み取り可能な記録媒体に記録して提供するように構成してもよい。さらに、プログラムを、インターネット等のネットワークに接続されたコンピュータ上に格納し、ネットワーク経由でダウンロードさせることにより提供するように構成してもよい。また、プログラムを、インターネット等のネットワーク経由で提供または配布するように構成してもよい。
【００１８】
表示部２１は、手Ｈや電子ペン２９０で描画された描画情報、及び外部機器から入力された画像情報を表示する。表示部２１は、ＧＰＵ(Graphics  Processing  Unit)２１２と、ディスプレイコントローラ２１３と、ディスプレイ２８０を備える。
【００１９】
ＧＰＵ２１２は、描画情報や画像情報等のグラフィクスを専門に扱う半導体チップである。ディスプレイコントローラ２１３は、ＧＰＵ２１２からの出力画像をディスプレイ２８０等へ出力するために画面表示の制御及び管理を行う。また、ディスプレイコントローラ２１３は、ディスプレイ２８０のバックライトの状態（点灯、消灯、減光、増光等）を制御する。
【００２０】
タッチパネル部３１は、タッチセンサ２１４と、タッチパネルコントローラ２１５を備える。タッチセンサ２１４は、ディスプレイ２８０上に電子ペン２９０やユーザの手Ｈ等が接触したこと、及び接触した位置を検知するセンサである。タッチセンサ２１４の概要は、前記した通りである。タッチパネルコントローラ２１５は、タッチセンサ２１４の動作を制御する。
【００２１】
なお、タッチセンサ２１４は、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの検出手段を用いてもよい。
【００２２】
また、前記した電子ペン２９０は、電子黒板１０が備える電子ペンコントローラ２１６によって制御される。電子ペンコントローラ２１６は、電子ペン２９０と通信することで、ディスプレイ２８０へのペン先のタッチやペン尻のタッチの有無を判断する。なお、電子ペンコントローラ２１６が、電子ペン２９０のペン先及びペン尻だけでなく、電子ペン２９０のユーザが握る部分や、電子ペン２９０のその他の部分に対するタッチの有無を判断してもよい。
【００２３】
バッテリー部４１は、バッテリー２２４と、バッテリーコントローラ２２５を備える。バッテリー２２４は、電子黒板１０に電力を供給する。バッテリーコントローラ２２５は、バッテリー２２４の残量を管理する。なお、電子黒板１０は、バッテリー部４１として、更に、ＡＣ電源を受電して電子黒板１０に供給する電力供給部を備えてもよい。バッテリー２２４を備えるのは、ＡＣ電源を供給できない場所であっても、電子黒板１０を使用可能とするためである。
【００２４】
電子黒板１０は、更に、ネットワークＩ／Ｆ(Interface)２０５、及び外部機器接続Ｉ／Ｆ２０６を備える。ネットワークＩ／Ｆ２０５は、図２に非図示の通信ネットワークとの通信を制御する。外部機器接続Ｉ／Ｆ２０６は、各種の外部機器を接続するためのインタフェースである。この場合の外部機器は、例えば、ＵＳＢ(Universal  Serial  Bus)メモリ２３０、外付け機器（マイク２４０、スピーカ２５０、カメラ２６０）である。
【００２５】
また、電子黒板１０は、キャプチャデバイス２１１、近距離通信回路２１９、及び近距離通信回路２１９のアンテナ２１９ａ、電源スイッチ２２２、及び選択スイッチ類２２３を備える。
【００２６】
キャプチャデバイス２１１は、外付けのＰＣ(Personal  Computer)２７０のディスプレイに対して、映像情報を静止画または動画として表示させる。
【００２７】
近距離通信回路２１９は、ＮＦＣ(Near  Field  Communication)やＢｌｕｅｔｏｏｔｈ（登録商標）等の通信回路である。
【００２８】
電源スイッチ２２２は、電子黒板１０の電源のＯＮ／ＯＦＦを切り換えるためのスイッチである。また、選択スイッチ類２２３は、例えば、ディスプレイ２８０の表示の明暗や色合い等を調整するためのスイッチ群である。
【００２９】
更に、電子黒板１０は、バスライン２１０を備えている。バスライン２１０は、図２に示されているＣＰＵ２０１等の各構成要素を電気的に接続するためのアドレスバスやデータバス等である。
【００３０】
（電子黒板のハードウェア構成の説明）
次に、図３を用いて、電子黒板１０のコントローラ部１１の機能構成を説明する。図３は、電子黒板１０のコントローラ部１１の機能構成の一例を示す機能ブロック図である。
【００３１】
図２に示したコントローラ部１１は、ＣＰＵ２０１の駆動に用いられるプログラムを実行することによって、ＣＰＵ２０１の内部に、図３に示す各機能部を実現する。すなわち、コントローラ部１１は、バッテリー残量検出部１１１と、表示領域設定部１１２と、バックライト制御部１１３と、指示位置検出部１１４と、指示位置記憶部１１５と、描画制御部１１６と、表示制御部１１７と、操作制御部１１８とを、機能部として実現する。
【００３２】
バッテリー残量検出部１１１は、バッテリー２２４の残量を検出する。
【００３３】
表示領域設定部１１２は、ディスプレイ２８０（表示装置）の表示画面４２の中に、バッテリー２２４の残量に応じた表示領域を設定する。なお、本実施形態では、表示領域設定部１１２は、バッテリー２２４の残量に応じた面積の表示領域を設定するが、表示領域の設定方法はそれに限定されるものではない。
【００３４】
バックライト制御部１１３は、ディスプレイ２８０のバックライトの状態を制御する。特に、バックライト制御部１１３は、表示領域設定部１１２の設定に応じて、表示画面４２の中の表示領域以外の領域のバックライトを消灯させる。
【００３５】
指示位置検出部１１４は、表示領域に対する指示位置を検出する。
【００３６】
指示位置記憶部１１５は、表示領域の設定状態と、指示位置の座標とを関連付けて記憶する。
【００３７】
描画制御部１１６は、指示位置に描画情報を描画させる。
【００３８】
表示制御部１１７は、表示領域設定部１１２が表示領域の設定を変更した際に、変更された表示領域の設定状態と、指示位置記憶部１１５が記憶する情報とに基づいて、表示領域の設定が変更される前に描画された描画情報を拡大又は縮小して表示させる。
【００３９】
操作制御部１１８は、電子黒板１０に対する各種操作を受け付ける。また、操作制御部１１８は、受け付けた操作に対応する情報をコントローラ部１１に送信する。
【００４０】
（電子黒板のハードウェア構成の説明）
次に、図４を用いて、本実施形態における電子黒板１０の動作概要を説明する図である。図４は、電子黒板１０の動作概要を説明する図である。
【００４１】
図４（ａ）は、表示領域設定部１１２の作用によって、ディスプレイ２８０の表示画面４２全体が表示領域４３ａに設定された状態（状態１）を示す。そして、ディスプレイ２８０が図４（ａ）の状態にあるとき、電子黒板１０の使用者が、手Ｈ又は電子ペン２９０によって表示領域４３ａに描画を行うと、指示位置検出部１１４が検出した描画位置に、描画制御部１１６が描画情報５０ａを描画させる。そして、指示位置記憶部１１５は、表示領域４３ａが設定されていることと、描画情報５０ａの描画位置とを関連付けて記憶する。
【００４２】
図４（ｂ）は、バッテリー２２４の放電によって、バッテリー２２４の残量が、予め設定した閾値未満になった状態（状態２）を示す。すなわち、バッテリー残量検出部１１１が、バッテリー２２４の残量が閾値未満になったことを検出した場合に、表示領域設定部１１２は、ディスプレイ２８０の消費電力を抑制するために、表示領域４３ａを縮小した表示領域４３ｂを設定する。そして、更に、バックライト制御部１１３は、表示画面４２における表示領域４３ｂ以外の領域４３ｃのバックライトを消灯させる。すなわち、領域４３ｃは、全面が黒の状態となる。
【００４３】
そして、図４（ｂ）の状態にあるとき、表示制御部１１７は、表示画面４２を縮小する前の状態で描画された描画情報５０ａを、表示領域４３ｂに応じた状態に縮小して、描画情報５０ｂとして表示する。
【００４４】
更に、図４（ｂ）の状態において描画された情報は、描画された位置に、描画情報５０ｃとして描画される。なお、このとき、指示位置検出部１１４は、領域４３ｃに対して手Ｈ又は電子ペン２９０が接触した場合には、当該接触は無視する。或いは、指示位置検出部１１４は、領域４３ｃを検出範囲外としてもよい。
【００４５】
なお、図４（ｂ）の状態において表示された描画情報５０ｂ、及び図４（ｂ）の状態で描画された描画情報５０ｃは、指示位置記憶部１１５の作用によって、表示領域４３ｂが設定されていることと関連付けて記憶される。
【００４６】
次に、図４（ｃ）は、バッテリー２２４が充電されて、バッテリー２２４の残量が、予め設定した閾値を超えた状態（状態３）を示す。なお、状態３は状態１と同じ状態であるが、説明の便宜上、状態３として説明する。
【００４７】
バッテリー残量検出部１１１が、バッテリー２２４の残量が閾値を超えたことを検出した場合に、表示領域設定部１１２は、ディスプレイ２８０に表示領域４３ａを設定する。そして、更に、バックライト制御部１１３は、全てのバックライトを点灯させる。
【００４８】
そして、図４（ｃ）の状態にあるとき、表示制御部１１７は、表示画面４２を拡大する前の状態で描画された描画情報５０ｂ，５０ｃを、表示領域４３ａに応じた状態に拡大して表示する。すなわち、描画情報５０ａ，５０ｄが表示される。
【００４９】
そして、図４（ｃ）の状態において表示された描画情報５０ａ，５０ｄは、指示位置記憶部１１５の作用によって、表示領域４３ａが設定されていることと関連付けて記憶される。
【００５０】
以降、バッテリー２２４の残量に応じて、状態１（状態３）と状態２とが交互に遷移する。
【００５１】
なお、図４では、表示領域４３ａ，４３ｂが、バッテリー２２４の残量に応じて２段階に変更される様子を説明したが、表示領域の設定数は２に限定されるものではない。すなわち、バッテリー２２４の残量に応じて、表示領域をより多段階に細かく変更してもよい。
【００５２】
（表示領域の設定方法の説明）
次に、図５を用いて、表示領域４３ｂの設定方法について説明する。図５は、バッテリー２２４の残量が少ない場合に、ディスプレイ２８０の表示画面４２に狭い表示領域４３ｂを設定する方法について説明する図である。
【００５３】
なお、ディスプレイ２８０の表示画面４２は、最も広い状態（図４（ａ）の表示領域４３ａ）において、表示画面４２の横方向をｘ軸、縦方向をｙ軸として、左上の点Ａ（０，０）から右下の点Ｂ（Ｍ，Ｎ）の範囲に、画像情報及び描画情報を表示できるものとする。そして、表示領域設定部１１２は、表示画面４２の中央付近に、縮小された表示領域４３ｂを設定するものとする。
【００５４】
表示領域４３ｂは、左上の点Ｃ（ａ，ｂ）から右下の点Ｄ（ｃ，ｄ）の範囲に、画像情報及び描画情報を表示できるものとする。なお、図５の例では、表示領域４３ｂは表示画面４２の中央付近に設定したが、表示領域４３ｂの設定位置は、これに限られない。すなわち、例えば、点Ａ（０，０）と点Ｃ（ａ，ｂ）とが一致した状態になるように、表示領域４３ｂを設定する等してもよい。
【００５５】
なお、指示位置記憶部１１５は、表示領域４３ｂの設定状態として、点Ｃ（ａ，ｂ）と点Ｄ（ｃ，ｄ）の座標を記憶する。すなわち、点Ｃ（ａ，ｂ）と点Ｄ（ｃ，ｄ）の座標は、表示領域４３ｂの位置を表す。また、点Ｃ（ａ，ｂ）と点Ｄ（ｃ，ｄ）の座標から、表示領域４３ｂのサイズ、すなわち、横方向サイズ（ｃ−ａ）と、縦方向サイズ（ｄ−ｂ）が算出される。
【００５６】
（描画情報の拡大、縮小方法の説明）
次に、図６を用いて、描画情報の拡大、縮小方法について説明する。図６は、描画情報の拡大、縮小を行う方法について説明する図である。
【００５７】
前述したように、指示位置記憶部１１５は、ディスプレイ２８０の表示画面４２に表示領域４３ｂが設定されていることと、そこに描画された描画情報の描画位置とを関連付けて記憶する。例えば、図６に示すように、表示領域４３ｂが設定されている場合に、描画情報の描画位置である点Ｕの座標が記憶される。なお、描画情報は、一般に複数の点が連続した図形となるため、複数の点Ｕの座標が記憶される。ここでは、説明を簡単にするため、描画位置は点Ｕ（ｐ，ｑ）のみであるとする。
【００５８】
このとき、表示領域設定部１１２が表示領域を拡大して、表示領域４３ａを設定したとする。このとき、表示制御部１１７は、点Ｕ（ｐ，ｑ）を、式（１），式（２）で算出される点Ｖ（ｒ，ｓ）に移動させる。
【００５９】
ｒ＝｛（ｐ−ａ）／（ｃ−ａ）｝＊Ｍ    …（１）
ｓ＝｛（ｑ−ｂ）／（ｄ−ｂ）｝＊Ｎ    …（２）
【００６０】
すなわち、表示制御部１１７は、表示領域４３ｂに対する点Ｕ（ｐ，ｑ）の相対位置と等しくなるように、表示領域４３ａにおける点Ｖ（ｒ，ｓ）の位置を定める。
【００６１】
逆に、表示領域設定部１１２が表示領域を縮小して、表示領域４３ａを表示領域４３ｂに変更した場合には、点Ｖ（ｒ，ｓ）を、式（３），式（４）で算出される点Ｕ（ｐ，ｑ）に移動させる。
【００６２】
ｐ＝（ｒ／Ｍ）＊（ｃ−ａ）＋ａ        …（３）
ｑ＝（ｓ／Ｎ）＊（ｄ−ｂ）＋ｂ        …（４）
【００６３】
なお、表示制御部１１７は、表示領域４３ａ又は表示領域４３ｂに表示された画像情報についても、表示領域の設定状態の変更に応じて、拡大縮小を行う。
【００６４】
（電子黒板が行う処理の流れの説明）
次に、図７を用いて、電子黒板１０が行う処理の流れを説明する。図７は、電子黒板１０が行う処理の流れの一例を示すフローチャートである。
【００６５】
操作制御部１１８は、ユーザの起動操作を検出することによって、電子黒板１０を起動させる（ステップＳ１１）。
【００６６】
バッテリー残量検出部１１１は、バッテリー２２４の残量が閾値以上であるかを判定する（ステップＳ１２）。バッテリー２２４の残量が閾値以上であると判定される（ステップＳ１２：Ｙｅｓ）と、ステップＳ１３に進む。一方、バッテリー２２４の残量が閾値以上であると判定されない（ステップＳ１２：Ｎｏ）と、ステップＳ１５に進む。
【００６７】
ステップＳ１２において、Ｙｅｓと判定されると、表示領域設定部１１２は、表示領域を「状態１」に設定する（ステップＳ１３）。すなわち表示領域４３ａが設定される。なお、既に表示領域４３ａが設定されている場合は、表示領域設定部１１２は何もしない。そして、バックライト制御部１１３は、表示画面４２の全てのバックライトを点灯させる（ステップＳ１４）。その後、ステップＳ１７に進む。
【００６８】
ステップＳ１２において、Ｎｏと判定されると、表示領域設定部１１２は、表示領域を「状態２」に設定する（ステップＳ１５）。すなわち表示領域４３ｂが設定される。なお、既に表示領域４３ｂが設定されている場合は、表示領域設定部１１２は何もしない。そして、バックライト制御部１１３は、表示画面４２の表示領域４３ｂに対応する位置以外のバックライトを消灯させる（ステップＳ１６）。その後、ステップＳ１９に進む。
【００６９】
ステップＳ１４に続いて、表示領域設定部１１２は、表示領域の設定が「状態２」から「状態１」に変化したかを判定する（ステップＳ１７）。表示領域の設定が「状態２」から「状態１」に変化したと判定される（ステップＳ１７：Ｙｅｓ）と、ステップＳ１８に進む。一方、表示領域の設定が「状態２」から「状態１」に変化したと判定されない（ステップＳ１７：Ｎｏ）と、ステップＳ２１に進む。
【００７０】
ステップＳ１７において、Ｙｅｓと判定されると、表示制御部１１７は、表示領域４３ｂに表示されていた画像情報、及び表示領域４３ｂに描画されていた描画情報を、表示領域４３ａに合うように拡大する（ステップＳ１８）。その後、ステップＳ２１に進む。
【００７１】
また、ステップＳ１６に続いて、表示領域設定部１１２は、表示領域の設定が「状態１」から「状態２」に変化したかを判定する（ステップＳ１９）。表示領域の設定が「状態１」から「状態２」に変化したと判定される（ステップＳ１９：Ｙｅｓ）と、ステップＳ２０に進む。一方、表示領域の設定が「状態１」から「状態２」に変化したと判定されない（ステップＳ１９：Ｎｏ）と、ステップＳ２１に進む。
【００７２】
ステップＳ１９において、Ｙｅｓと判定されると、表示制御部１１７は、表示領域４３ａに表示されていた画像情報、及び表示領域４３ａに描画されていた描画情報を、表示領域４３ｂに合うように縮小する（ステップＳ２０）。その後、ステップＳ２１に進む。
【００７３】
指示位置検出部１１４は、その時点で設定されている表示領域４３ａ又は表示領域４３ｂの中に、指示位置が検出されたかを判定する（ステップＳ２１）。指示位置が検出されたと判定される（ステップＳ２１：Ｙｅｓ）と、ステップＳ２２に進む。一方、指示位置が検出されたと判定されない（ステップＳ２１：Ｎｏ）と、ステップＳ２４に進む。
【００７４】
ステップＳ２１において、Ｙｅｓと判定されると、描画制御部１１６は、指示位置に描画情報を描画する（ステップＳ２２）。
【００７５】
続いて、指示位置記憶部１１５は、表示領域の設定状態と指示位置とを関連付けて記憶する（ステップＳ２３）。
【００７６】
ステップＳ２１において、Ｎｏと判定された場合、又はステップＳ２３を実行した後で、操作制御部１１８は、ユーザの終了操作を検出することによって、電子黒板１０の動作終了が指示されたかを判定する（ステップＳ２４）。電子黒板１０の動作終了が指示されたと判定される（ステップＳ２４：Ｙｅｓ）と、図７の処理が終了する。一方、電子黒板１０の動作終了が指示されたと判定されないステップＳ２４：Ｎｏ）と、ステップＳ１２に戻って、前述した処理を繰り返す。
【００７７】
以上説明したように、本実施形態のディスプレイ２８０（表示装置）によれば、表示領域設定部１１２が、ディスプレイ２８０の表示画面４２の中に、ディスプレイ２８０を駆動するバッテリー２２４の残量に応じた面積の表示領域４３ａ又は表示領域４３ｂを設定する。そして、指示位置検出部１１４が、表示領域に対する指示位置を検出して、指示位置記憶部１１５が、表示領域（４３ａ，４３ｂ）の設定状態と、指示位置の座標とを関連付けて記憶する。そして、描画制御部１１６は、指示位置に描画情報を描画させる。また、表示制御部１１７は、表示領域設定部１１２が表示領域（４３ａ，４３ｂ）の設定を変更した際に、変更された表示領域の設定状態と、指示位置記憶部１１５が記憶した情報とに基づいて、表示領域の設定が変更される前に描画された描画情報を拡大又は縮小して表示させる。したがって、ディスプレイ２８０の表示領域のサイズが変化しても、表示領域に対する描画情報の位置ずれの発生を防止することができる。
【００７８】
また、本実施形態のディスプレイ２８０によれば、表示領域設定部１１２は、バッテリー２２４の残量が閾値未満である場合に、狭い表示領域４３ｂを設定して、バッテリー２２４の残量が閾値を超える場合に、広い表示領域４３ａを設定する。したがって、バッテリー２２４の残量に応じた表示領域を設定することができる。
【００７９】
また、本実施形態のディスプレイ２８０によれば、表示領域設定部１１２が、表示画面４２の中の表示領域４３ａを表示領域４３ｂに縮小した際に、バックライト制御部１１３が、表示領域４３ｂ以外の領域のバックライトを消灯させる。したがって、バッテリー２２４の残量の減少を抑止することができる。
【００８０】
また、本実施形態のディスプレイ２８０によれば、表示領域の設定状態は、表示領域の位置（例えば表示領域の左上の座標と右下の座標）とサイズ（例えば表示領域の縦横の画素数）である。したがって、表示領域の設定状態を簡便に記憶することができる。
【００８１】
また、本実施形態のディスプレイ２８０によれば、表示制御部１１７は、設定変更前の表示領域に対する描画情報の相対位置、及び当該表示領域に対する描画情報の相対サイズと、設定変更後の表示領域に対する描画情報の相対位置及び当該表示領域に対する描画情報の相対サイズと、が等しくなるように、設定変更前の描画情報を拡大又は縮小させる。したがって、表示画面４２における表示領域のサイズに応じて、当該表示領域に対する相対位置が一定になるように、描画情報の描画位置を変更することができる。
【００８２】
以上、本発明の実施の形態について説明したが、上述した実施の形態は、例として提示したものであり、本発明の範囲を限定することは意図していない。この新規な実施の形態は、その他の様々な形態で実施されることが可能である。また、発明の要旨を逸脱しない範囲で、種々の省略、置き換え、変更を行うことができる。また、この実施の形態は、発明の範囲や要旨に含まれるとともに、特許請求の範囲に記載された発明とその均等の範囲に含まれる。
【符号の説明】
【００８３】
１０      電子黒板
４２      表示画面
４３ａ，４３ｂ                    表示領域
５０ａ，５０ｂ，５０ｃ，５０ｄ    描画情報
１１１    バッテリー残量検出部
１１２    表示領域設定部
１１３    バックライト制御部
１１４    指示位置検出部
１１５    指示位置記憶部
１１６    描画制御部
１１７    表示制御部
２２４    バッテリー
２８０    ディスプレイ（表示装置）
２９０    電子ペン
Ｈ        手
【先行技術文献】
【特許文献】
【００８４】
【特許文献１】特開２０１２−１５７１００号公報
【図１】
2020129039.tif 000003
【図２】
2020129039.tif 000004
【図３】
2020129039.tif 000005
【図４】
2020129039.tif 000006
【図５】
2020129039.tif 000007
【図６】
2020129039.tif 000008
【図７】
2020129039.tif 000009